(57)【要約】【課題】複雑な操作を伴う監視制御装置では、複数のダイアログを表示、操作する際に、ダイアログが小さくなりメニュー内容が見辛くなり、また、元の監視画面の大部分がダイアログで隠れることがあり、ダイアログ操作中に画面監視を継続できないため、監視制御装置の視認性・操作性が悪くなり誤操作を招くおそれがあった。【解決手段】表示画面上に、一時的に表示する情報や操作を小さい表示領域でウィンドウ表示する仕組みを備えた監視制御装置１であって、表示画面上の小さい表示領域のウィンドウに対してユーザが操作すべき内容や候補、およびユーザの操作結果をユーザの操作に応じて順番に表示する機能を設けた。【選択図】図２
2016162004.tif 000002
【特許請求の範囲】
【請求項１】
ユーザの操作を受け付けるユーザ操作入力部と、表示中の画面に関する状態を管理するとともに、ユーザ操作を受け付けて、操作に応じて表示する画面の状態変更を行う表示管理部と、画面に表示するための画面を生成する表示画面生成部と、画面表示機器に対して生成した画面の表示命令を行う画面表示部と、ユーザから受け付けた操作を一時記憶する操作記憶部と、ユーザから受け付けた操作を基に次の表示候補を検索し、検索結果に応じた画面情報を生成する画面情報検索部とを備え、表示画面上に、一時的に表示する情報や操作をウィンドウ表示する仕組みを備えた監視制御装置であって、表示画面上のウィンドウに対してユーザが操作すべき内容や候補、およびユーザの操作結果をユーザの操作に応じて順番に表示する機能を有することを特徴とする監視制御装置。
【請求項２】
前記表示画面上には、前回の操作までに決定された選択結果の履歴と、今回の選択すべき選択肢とが、同一画面上に表示されるように構成されたことを特徴とする請求項１に記載の監視制御装置。
【請求項３】
前記表示管理部はユーザの操作が必要な候補の一覧を管理する機能を、前記表示画面生成部はユーザの操作が必要な候補を一覧表示する機能を有し、任意の順番でユーザ操作できることを特徴とする請求項１に記載の監視制御装置。
【請求項４】
関連操作候補管理部を構成要素に持ち、前記表示管理部はユーザの操作が必要な候補の関連情報を管理する機能を有し、ユーザ操作を完了した操作候補に対して、ユーザ操作の内容を変更した際、変更操作に対して操作の変更、あるいは変更の検討が必要な操作候補を抽出し、操作候補を前記関連操作候補管理部へ通知することを特徴とする請求項３に記載の監視制御装置。
【請求項５】
前記表示画面生成部は複数の操作候補を１つの表示領域内に表示する機能を有し、複数の操作を同時にウィンドウ表示することを特徴とする請求項１に記載の監視制御装置。
【請求項６】
それぞれの操作候補が過去に選択された回数を記憶する履歴管理部を備え、前記表示画面生成部は複数同時表示している操作候補に対して、前記履歴管理部からの情報により表示優先順位をつけることを特徴とする請求項５に記載の監視制御装置。
【発明の詳細な説明】
【技術分野】
【０００１】
この発明は、設備の状態等を監視制御する監視制御装置に関し、特にタッチ操作の操作性、視認性向上を目的とする技術に関するものである。
【背景技術】
【０００２】
従来から、プラント設備や公共施設における設備の状態監視、あるいは、状態の変化を時系列に確認するシステムでは、システムで監視している範囲を模式図として表示する画面や、時系列データをグラフ、一覧形式で表示する画面をはじめとして、数多くの画面表示形式を用いて画面表示することが一般的である。
近年の監視システムは、監視対象となる項目（機器）の種類が多種多様になり、様々な方向から監視項目の状態をグラフィカルに表示することが多くなってきている。加えて、ウェブブラウザ（Ｗｅｂ  Ｂｒｏｗｓｅｒ）やタッチパネルを用いた小さい画面で複雑な操作が必要となる監視システムも増加しており、結果として画面枚数の増加、システム上の画面操作の複雑化が進む傾向にある。このため、操作性、利便性を損なわない仕組みが求められている。
【０００３】
このような要件に対する解決策の一例としては、画面操作の際、利便性向上のために、表示画面上に過去に選択したメニュー表示データを小さく表示して、過去に選択したメニュー内容を容易に確認できる表示制御方法が開示されている（特許文献１）。
【先行技術文献】
【特許文献】
【０００４】
【特許文献１】特開平６−３４２３６０号公報（図４）
【発明の概要】
【発明が解決しようとする課題】
【０００５】
従来の装置は以上のように構成されているので、複数のダイアログを表示、操作する際に、ダイアログが小さくなりメニュー内容が見辛くなる、および、元の監視画面の大部分がダイアログで隠れることがあり、ダイアログ操作中に画面監視を継続できないため、監視制御装置の視認性・操作性が悪くなり誤操作を招くおそれがあった。
【０００６】
この発明は前記のような課題を解決するためになされたものであり、１つのコンパクトなダイアログ内で最低限の内容を表示し、操作毎にダイアログの内容を切替えることでダイアログ操作中でも画面監視を継続できるようにし、操作性・視認性を向上させた監視制御装置を得ることを目的とする。
【課題を解決するための手段】
【０００７】
この発明は、ユーザの操作を受け付けるユーザ操作入力部と、表示中の画面に関する状態を管理するとともに、ユーザ操作を受け付けて、操作に応じて表示する画面の状態変更を行う表示管理部と、画面に表示するための画面を生成する表示画面生成部と、画面表示機器に対して生成した画面の表示命令を行う画面表示部と、ユーザから受け付けた操作を一時記憶する操作記憶部と、ユーザから受け付けた操作を基に次の表示候補を検索し、検索結果に応じた画面情報を生成する画面情報検索部とを備え、表示画面上に、一時的に表示する情報や操作をウィンドウ表示する仕組みを備えた監視制御装置であって、表示画面上のウィンドウに対してユーザが操作すべき内容や候補、およびユーザの操作結果をユーザの操作に応じて順番に表示する機能を有するようにしたものである。
【発明の効果】
【０００８】
この発明によれば、１つのダイアログ内にメニューを表示し、操作ごとにダイアログの内容を切り替えることで、ユーザは入出力操作を行うことができ、監視制御装置の操作性が向上する。また、ダイアログがコンパクトになり画面に対して占める割合が少なくなるため、監視画面の視認性が向上する。
【図面の簡単な説明】
【０００９】
【図１】この発明に係る実施の形態１による監視制御装置のシステム構成を示す図である。
【図２】この発明に係る実施の形態１による監視制御装置の操作を説明する図である。
【図３】この発明に係る実施の形態１による監視制御装置の操作のフローチャートを示す図である。
【図４】この発明に係る実施の形態２による監視制御装置のシステム構成を示す図である。
【図５】この発明に係る実施の形態２による監視制御装置の操作を説明する図である。
【図６】この発明に係る実施の形態２による監視制御装置の操作のフローチャートを示す図である。
【図７】この発明に係る実施の形態３による監視制御装置のシステム構成を示す図である。
【図８】この発明に係る実施の形態３による監視制御装置の操作を説明する図である。
【図９】この発明に係る実施の形態３による監視制御装置の操作のフローチャートを示す図である。
【図１０】この発明に係る実施の形態４による監視制御装置のシステム構成を示す図である。
【図１１】この発明に係る実施の形態４による監視制御装置の操作を説明する図である。
【図１２】この発明に係る実施の形態４による監視制御装置の操作のフローチャートを示す図である。
【図１３】この発明に係る実施の形態５による監視制御装置のシステム構成を示す図である。
【図１４】この発明に係る実施の形態５による監視制御装置の操作を説明する図である。
【図１５】この発明に係る実施の形態５による監視制御装置の操作のフローチャートを示す図である。
【発明を実施するための形態】
【００１０】
実施の形態１．
この発明に係る実施の形態１を図１から図３までに基づいて説明する。図１は、この発明に係る実施の形態１による監視制御装置のシステム構成を示す図である。図２は、この発明に係る実施の形態１による監視制御装置の操作を説明する図である。図３は、この発明に係る実施の形態１による監視制御装置の操作のフローチャートを示す図である。
この発明に係る実施の形態１の構成について図１にて説明する。図１において、ウェブ監視制御装置１はユーザに対して監視画面を表示する、あるいは、ユーザが監視機器に対して操作した際の画面入出力を行うための装置であり、画面表示端末として画面表示ソフトウェア１００が備わっている。
画面表示ソフトウェア１００はユーザの操作を受け付けるユーザ操作入力部１１０と表示中の画面に関する状態を管理する他、ユーザ操作を受け付けて、操作に応じて表示する画面の状態変更を行う表示管理部１２０と、画面に表示するための画面を生成する表示画面生成部１３０と、画面機器に対して生成した画面の表示命令を行う画面表示部１４０と、ユーザから受け付けた操作を一時記憶する操作記憶部１５０と、ユーザから受け付けた操作を基に次の表示候補を検索し、検索結果に応じた画面情報を生成する画面情報検索部１６０で構成される。
【００１１】
次に動作について図２、図３を用いて説明する。図２は実施の形態１における操作を説明するためのイメージ図で、図３は図２の操作（ａ）から（ｄ）までの変化を示したフローチャート図である。
図３において、ユーザは表示されている操作・選択内容から操作・選択したい選択肢を選択する（Ｓ１００１）。
ユーザ操作入力部１１０は受信した要求を表示管理部１２０に送信する（Ｓ１００２）。
表示管理部１２０は入力が操作・選択であると判断し、操作記憶部１５０に操作・選択内容を送信する（Ｓ１００３）。
操作記憶部１５０は操作・選択内容を記憶し、一時記憶している操作・選択内容を表示管理部１２０に送信する（Ｓ１００４）。
表示管理部１２０は画面情報検索部１６０に検索キーワードを送信する（Ｓ１００５）。
画面情報検索部１６０は検索キーワードを受信すると、検索キーワードを解析し、次の表示候補を検索し、検索結果を表示管理部１２０に送信する（Ｓ１００６）。
表示管理部１２０は検索結果を表示画面生成部１３０に送信する（Ｓ１００７）。
表示画面生成部１３０は画面を表示できる状態に構築して画面表示部１４０に送信する（Ｓ１００８）。
画面表示部１４０は画面表示機器３に画面を送信し、その後、画面表示機器３に画面が表示される（Ｓ１００９）。
【００１２】
画面に次の選択肢が表示された場合、ユーザは先ほどと同様に選択肢から１つ選択する。以後の動作はステップＳ１００１〜Ｓ１００９の繰返しとなるため省略する。送信画面が表示された場合、ユーザは送信を選択することで今まで選択した選択肢を監視制御装置に送信する。
【００１３】
以上のように、実施の形態１によれば、１つのダイアログでユーザは入出力操作を行うことができ、監視制御装置の操作性が向上する。
また、ダイアログがコンパクトになり画面に対して占める割合が少なくなるため、監視画面の視認性が向上する。
【００１４】
実施の形態２．
この発明に係る実施の形態２を図４から図６までに基づいて説明する。図４は、この発明に係る実施の形態２による監視制御装置のシステム構成を示す図である。図５は、この発明に係る実施の形態２による監視制御装置の操作を説明する図である。図６は、この発明に係る実施の形態２による監視制御装置の操作のフローチャートを示す図である。
実施の形態２の構成について図４にて説明する。実施の形態２は、前述した実施の形態１に対し、表示管理部１２０にユーザの操作が必要な候補の一覧を管理する機能を持つ操作候補管理部１２１と、表示画面生成部１３０にユーザの操作が必要な候補を一覧表示する機能を持つ操作候補表示部１３１を設けたものである。実施の形態２は、実施の形態１において、何度か操作を進めた時に、過去の選択内容を修正することができる。これによりウェブ監視制御装置１の操作性を向上させることができる。
【００１５】
以下、動作について図５、図６を用いて説明する。図５は実施の形態２において、ダイアログ内の操作を何度か進めてから、過去の選択内容を修正する際のイメージ図である。  図６は図５の操作（ａ）から（ｃ）までの変化を示したフローチャート図である。
図６において、ユーザは表示されている操作候補一覧から変更したい操作候補を選択する（Ｓ１００１）。
ユーザ操作入力部１１０は受信した要求を表示管理部１２０に送信する（Ｓ１００２）。
表示管理部は入力が操作候補一覧の選択であると判断し、操作候補管理部１２１に操作・選択内容を送信する（Ｓ１０１０）。
表示管理部１２０は操作記憶部１５０に操作・選択内容を送信する（Ｓ１０１１）。
操作記憶部１５０から一時記憶内容を表示管理部１２０に送信し、画面情報検索部１６０で検索キーワードから選択・表示候補を検索し、表示画面生成部１３０に送信するまでの動作は実施の形態１と同様のため省略する（Ｓ１００４〜Ｓ１００７）。
表示画面生成部１３０は操作候補表示部１３１に操作候補一覧情報を送信する（Ｓ１０１２）。
表示画面生成部１３０が画面を構築し、画面表示部１４０に送信して、画面表示部１４０が画面表示機器３に画面を表示するまでの動作は実施の形態１と同様のため省略する（Ｓ１００８〜Ｓ１００９）。
ユーザはステップＳ１００９で表示された画面（図５（ｂ））に対し、操作・選択したい選択肢を選択する（Ｓ１００１）。
【００１６】
以後、ユーザ操作入力部が受信した要求を表示管理部１２０に送信してから表示画面生成部１３０が画面を構築し画面表示部１４０に送信するまでの動作は実施の形態１と同様のため省略する（Ｓ１００２〜Ｓ１００８）。 
画面表示部１４０は画面表示機器３に画面を送信し、その後、画面表示機器３に図５（ａ）と同じ選択肢が表示される（Ｓ１０１３）。
【００１７】
このように実施の形態２では、ユーザの操作が必要な候補の一覧を管理・表示することで、ユーザが過去の選択内容を修正することが出来るため、操作を誤ったとき始めからやり直す必要がなくなり、修正に必要な操作数が減少するため、監視制御装置の操作性が向上する。
【００１８】
実施の形態３．
この発明に係る実施の形態３を図７から図９までに基づいて説明する。図７は、この発明に係る実施の形態３による監視制御装置のシステム構成を示す図である。図８は、この発明に係る実施の形態３による監視制御装置の操作を説明する図である。図９は、この発明に係る実施の形態３による監視制御装置の操作のフローチャートを示す図である。
実施の形態３の構成について図７にて説明する。実施の形態３は、前述の実施の形態２に対し、関連操作候補管理部１７０と表示管理部１２０内にユーザの操作が必要な候補の関連情報を管理する機能と、ユーザ操作を完了した操作候補に対して、ユーザ操作の内容を変更した際、変更操作に対して操作の変更、あるいは変更の検討が必要な操作候補を抽出、通知する機能を持つ関連操作候補抽出部１２２を設けたものである。
実施の形態３は、実施の形態２において、１つの選択肢を修正した時に、合わせて修正する必要のある関連する選択肢を抽出し、画面に表示することができる。これにより、ウェブ監視制御装置の操作性を向上させることができる。
【００１９】
以下、動作について図８、図９を用いて説明する。図８は実施の形態３において、ダイアログ内の操作を何度か進めてから、過去の選択内容を修正する際のイメージ図である。図９は図８の（ａ）から（ｃ）までの変化を示したフローチャート図である。
【００２０】
ユーザが操作候補一覧を選択してから、画面表示部１４０が画面表示機器３に画面を表示するまで、および、表示された画面（図８（ｂ））からユーザが選択肢を選択してから操作記憶部１５０が操作・選択内容を表示管理部１２０に送信するまでの動作は実施の形態２と同様のため省略する（Ｓ１００１〜Ｓ１００４）。
表示管理部１２０は関連操作候補管理部１７０に選択された選択肢の情報を送信する（Ｓ１０１４）。
関連操作候補管理部１７０は表示管理部１２０に操作の変更、あるいは変更の検討が必要な操作候補の情報を送信する（Ｓ１０１５）。
表示管理部１２０が画面情報検索部１６０に検索キーワードを送信してから表示画面生成部１３０が画面表示部１４０に画面を送信するまでの動作は実施の形態２と同様のため省略する（Ｓ１００５〜Ｓ１００８）。
画面表示部１４０は画面表示機器３に画面を送信し、その後、画面表示機器３に図８（ｂ）で選択した選択肢に対して、操作の変更、あるいは変更の検討が必要な選択肢が表示される（Ｓ１０１６）。
【００２１】
このように実施の形態３では、操作の変更に対して、操作の変更あるいは変更の検討が必要な操作候補の抽出・通知を行うことにより、ユーザの誤入力を防ぐことが出来るため、監視制御装置の操作性が向上する。
【００２２】
実施の形態４．
この発明に係る実施の形態４を図１０から図１２までに基づいて説明する。図１０は、この発明に係る実施の形態４による監視制御装置のシステム構成を示す図である。図１１は、この発明に係る実施の形態４による監視制御装置の操作を説明する図である。１２は、この発明に係る実施の形態４による監視制御装置の操作のフローチャートを示す図である。
実施の形態４の構成について図１０にて説明する。実施の形態４は、前述の実施の形態１に対し、表示画面生成部１３０に複数の操作候補を１つのダイアログ内にウィンドウ表示する機能を持つ複数候補表示部１３２を設けたものである。実施の形態４は、実施の形態１において、途中の選択肢から操作を開始することができる。これにより、ウェブ監視制御装置の操作性を向上させることができる。
【００２３】
以下、動作について図１１、図１２を用いて説明する。図１１は実施の形態４において、複数の操作候補をウィンドウ表示する際のイメージ図である。図１２は図１１の（ａ）から（ｃ）までの変化を示したフローチャート図である。
図１２において、ユーザは表示されている操作・選択内容から複数の操作候補をウィンドウ表示する操作を選択する（Ｓ１００１）。
ユーザ操作入力部１１０は受信した要求を表示管理部１２０に送信する（Ｓ１００２）。
表示管理部１２０は入力が複数の操作候補をウィンドウ表示する操作であると判断し、操作記憶部１５０に操作・選択内容を送信する（Ｓ１０１７）。
操作記憶部１５０は操作・記憶内容を記憶し、表示管理部１２０に送信する（Ｓ１００４）。
表示管理部１２０は画面情報検索部１６０に同じウィンドウ内の別の表示候補を表示する検索キーワードを送信する（Ｓ１０１８）。
画面情報検索部１６０が選択、表示内容を表示管理部１２０に送信して、表示管理部１２０が表示画面生成部１３０に送信するまでの動作は実施の形態１と同様のため省略する（Ｓ１００６〜Ｓ１００７）。
表示画面生成部１３０は複数候補表示部１３２にウィンドウ表示の情報を送信する（Ｓ１０１９）。
表示画面生成部１３０は画面を表示できる状態に構築して画面表示部１４０に送信する（Ｓ１００８）。
画面表示部１４０は画面表示機器３に画面を送信し、その後、画面表示機器３に複数の操作候補の書かれたウィンドウ画面が表示される（Ｓ１０２０）。
ユーザはステップＳ１０２０で表示された画面に対し、操作・選択したい選択肢を選択する。（Ｓ１００１）
ユーザ操作入力部１１０が受信した要求を表示管理部１２０に送信してから表示画面生成部１３０が画面を構築し画面表示部１４０に送信するまでの動作は実施の形態１と同様のため省略する。（Ｓ１００２〜Ｓ１００８）
画面表示部１４０は画面表示機器３に画面を送信し、その後、画面表示機器３ではウィンドウが消え、Ｓ１０２０で選択した選択肢が画面に表示される（Ｓ１０２１）。
【００２４】
このように実施の形態４によれば、ユーザは途中の選択肢から操作を開始することができ、操作に必要な時間が短くなるため、監視制御装置の操作性が向上する。
【００２５】
実施の形態５．
この発明に係る実施の形態５を図１３から図１５までに基づいて説明する。図１３は、この発明に係る実施の形態５による監視制御装置のシステム構成を示す図である。図１４は、この発明に係る実施の形態５による監視制御装置の操作を説明する図である。図１５は、この発明に係る実施の形態５による監視制御装置の操作のフローチャートを示す図である。
実施の形態５の構成について図１３にて説明する。実施の形態５は、前述した実施の形態４に対し、過去の操作履歴を管理する履歴管理部１８０を設けたものである。実施の形態５は、実施の形態４において、複数同時表示する操作候補に対して、表示優先順位をつけることができる。これにより、監視制御装置の操作性を向上させることができる。
【００２６】
以下、動作について図１４、図１５を用いて説明する。図１４は実施の形態５において、複数の操作候補をウィンドウ表示する際のイメージ図である。図１５は図１４の（ａ）から（ｃ）までの変化を示したフローチャート図である。
ユーザが表示されている操作・選択内容から複数の操作候補をウィンドウ表示する操作を選択してから表示管理部１２０が操作記憶部１５０に操作・選択内容を送信するまでの動作は実施の形態４と同様のため省略する（Ｓ１００１〜Ｓ１０１７）。
操作記憶部１５０は履歴管理部１８０に操作・選択内容を送信する（Ｓ１０２２）。
履歴管理部１８０は操作・選択内容の操作・選択回数を増加させる（Ｓ１０２３）。
操作記憶部１５０が操作・選択内容を表示管理部１２０に送信してから表示画面生成部１３０が複数候補表示部１３２にウィンドウ表示情報を送信するまでの動作は実施の形態４と同様のため省略する（Ｓ１００４〜Ｓ１０１９）。
複数候補表示部１３２は履歴管理部１８０に表示する操作候補の情報を送信する（Ｓ１０２４）。
履歴管理部１８０は操作候補が過去に選択された回数の情報を複数候補表示部１３２に送信する（Ｓ１０２５）。
表示画面生成部１３０は画面を表示できる状態に構築して画面表示部１４０に送信する（Ｓ１００８）。
画面表示部１４０は画面表示機器３に画面を送信し、その後、画面表示機器３に複数の操作候補が過去に選択された頻度の高い順番でウィンドウ画面に表示される（Ｓ１０２６）。
以降の動作は実施の形態４と同様のため省略する（Ｓ１００１〜Ｓ１０２１）。
【００２７】
このように実施の形態５では、ユーザが高頻度で変更を行う操作の場合、選択肢の表示の優先度が高くなるため、ユーザは少ない手数で選択肢を選択することができ、監視制御装置の操作性が向上する。
【００２８】
なお、本発明は、その発明の範囲内において、各実施の形態の一部または全部を自由に組み合わせたり、各実施の形態を適宜、変形、省略することが可能である。
【符号の説明】
【００２９】
１  監視制御装置、  ２  ユーザ入力、  ３  画面表示機器、
１００  画面表示ソフトウェア、  １１０  ユーザ操作入力部、
１２０  表示管理部、  １２１  操作候補管理部、  １２２  関連操作候補抽出部、
１３０  表示画面生成部、  １３１  操作候補表示部、  １３２  複数候補表示部、
１４０  画面表示部、  １５０  操作記憶部、  １６０  画面情報検索部、
１７０  関連操作候補管理部、  １８０  履歴管理部。
【図１】
2016162004.tif 000003
【図２】
2016162004.tif 000004
【図３】
2016162004.tif 000005
【図４】
2016162004.tif 000006
【図５】
2016162004.tif 000007
【図６】
2016162004.tif 000008
【図７】
2016162004.tif 000009
【図８】
2016162004.tif 000010
【図９】
2016162004.tif 000011
【図１０】
2016162004.tif 000012
【図１１】
2016162004.tif 000013
【図１２】
2016162004.tif 000014
【図１３】
2016162004.tif 000015
【図１４】
2016162004.tif 000016
【図１５】
2016162004.tif 000017